(57)【特許請求の範囲】
【請求項１】
便器本体と、前記便器本体の後部に配置される機能部と、を備えた便器装置であって、
前記便器本体は、前記機能部の接続部と所定の接続先とを結ぶ接続管又は電線が挿通される開口が形成された外壁部を有し、
前記接続管又は電線を前記機能部と前記開口との間でガイドするガイド部が設けられ、
前記ガイド部は、前記外壁部の内面とともに前記接続管又は電線を包囲するように形成されている便器装置。
【請求項２】
前記ガイド部は、前記機能部の接続部から前記開口に到る位置まで延びている請求項１に記載の便器装置。
【発明の詳細な説明】
【技術分野】
【０００１】
本発明は、便器装置に関する。
【背景技術】
【０００２】
従来、便器本体に配置された機能部としての洗浄水供給装置と、床面や壁面に設けられた止水栓とを結ぶフレキシブルホースを接続する際に、このフレキシブルホースを、便器本体後壁に設けた開口を通すようにした構造の便器装置がある。この場合、便器装置の見栄えを向上させるために、この開口を極力目立たないようにした技術が提案されている（例えば、特許文献１参照）。
【先行技術文献】
【特許文献】
【０００３】
【特許文献１】特開２００８−２６７０２６号公報
【発明の概要】
【発明が解決しようとする課題】
【０００４】
ところで、特許文献１の便器装置では、トイレルーム内における施工時に、機能部が便器本体に取付けられる。一方、便器装置としては、見栄えが良くなるだけでなく施工性の点でも優れていることが望ましい。
しかしながら、特許文献１では、施工性を向上させるという視点からは特段の提案がなされていない。特に、便器本体の背後側がその便器本体を設置する場所の壁面に迫っているような場合には、フレキシブルホースを上述の開口に通す作業は難度の高いものとなり、作業能率が低下しがちである。
【０００５】
本発明は、上記事情に鑑みてなされたものであり、便器本体に配置された機能部と便器本体外の接続先とを結ぶ接続管又は電線の施工が容易な便器装置を提供することを目的とする。
【課題を解決するための手段】
【０００６】
上記目的を達成するため、ここに次のような技術を提案する。
（１）便器本体（例えば、後述する便器本体１００）と、前記便器本体の後部に配置される機能部（例えば、後述する機能部１５０）と、を備えた便器装置（例えば、後述する便器装置１）であって、前記便器本体は、前記機能部の接続部と所定の接続先（例えば、後述する止水栓２）とを結ぶ接続管（例えば、後述する接続管１３０）又は電線が挿通される開口（例えば、後述する開口１３１）が形成された外壁部（例えば、後述する後方外壁部１１０ａ）を有し、前記接続管又は電線を前記機能部と前記開口との間でガイドするガイド部（例えば、後述するガイド部１４０）が設けられている便器装置。
【０００７】
（２）前記ガイド部は、前記機能部の接続部から前記開口に到る位置まで延びている（１）の便器装置。
【０００８】
（３）前記ガイド部は、前記外壁部の内面とともに前記接続管又は電線を包囲するように形成されていることを特徴とする（１）又は（２）の便器装置。
【発明の効果】
【０００９】
本発明によれば、便器本体の後部に配置された機能部と便器本体外の接続先とを結ぶ接続管又は電線の施工が容易な便器装置を具現できる。
【図面の簡単な説明】
【００１０】
【図１】本発明の一実施形態に係る便器装置の側断面図である。
【図２】図１の便器装置の後方側からの斜視図である。
【図３】図１の便器装置のガイド部の斜視図である。
【発明を実施するための形態】
【００１１】
以下、本発明の一実施形態について、図面を参照して詳しく説明する。
図１は、本発明の一実施形態に係る便器装置の側断面図である。
図１の便器装置１は、陶器製の外周壁部１１０で全周が囲まれて構成された便器本体１００の内側に便鉢部１０１が設けられている。この便器本体１００の後方側上部に例えば、便器洗浄水を供給する電磁弁等を含む機能部１５０が載置されるようにして設けられている。更に、便器本体１００内の空間に洗浄水タンク２００が配置されている。即ち、本実施形態の便器装置１は、一般にはデッドスペースとなってしまうような空間部分を洗浄水タンク２００の収納空間として有効に利用することによって、全体としてコンパクトに構成されている。
【００１２】
便鉢部１０１の底部側には便器排水路１０２が連なって形成されている。この便器排水路１０２は、その入口となる部分であって便鉢部１０１の底部側から上昇する上昇流路１０３と、この上昇流路１０３の頂上部に連なって下降する下降流路１０４と含む。下降流路１０４は汚物を下水に流す排水管１０５に連なっている。
【００１３】
便鉢部１０１には、便鉢部１０１の底部側から上昇流路１０３に連なる凹部に溜水（封水）を貯留しておくための溜水貯留部１０６が形成されている。溜水貯留部１０６には封水面１０７までの一定量の封水が貯留される。
便鉢部１０１には、その上端の周縁内側にリム通水路１０８が形成されている。また、便鉢部１０１の下面における溜水貯留部１０６の最深部よりも前方の領域と、外周壁部１１０の左右両側面壁における前縁側の裾部とを繋ぐようにして補強壁部１０９が一体に形成されている。
【００１４】
洗浄水タンク２００はその外面が防露材２１０で被覆されている。防露材２１０は、例えば、発泡スチロール等の断熱材であり、適宜上下に分割された構造等を採り、洗浄水タンク２００の外殻の略全体をその外形に沿って包囲するように設けられている。また洗浄水タンク２００は、下側タンク部２２０と上側タンク部２３０に分かれ、この両者が内部で連通している。
下側タンク部２２０の上方中央部には、溜水貯留部１０６（図１）の下側に隆起した外面１１１に対応して凹陥した凹部２２１が形成されている。
【００１５】
既述のように、洗浄水タンク２００の防露材２１０は、洗浄水タンク２００の外面を略全面的に覆っている。従って、便鉢部１０１の溜水貯留部１０６に対向する領域の一部であるこの凹部２２１にも、その外面に防露材２１０が設けられている。
【００１６】
防露材２１０には、周面シール部２１１が形成されている。周面シール部２１１は、下側タンク部２２０の周面の略前半部分全体に既述の凹部２２１の最深部に相当する高さ位置を水平にめぐらせるように、周囲の防露材２１０の面部から突出して形成されている。
また、防露材２１０には、下側タンク部２２０の凹部２２１よりも後方の左右両側面及び上面に沿って一条の隆起が連なるようにして、周囲の防露材２１０の面部から突出する上面シール部２１２が形成されている。
【００１７】
周面シール部２１１及び上面シール部２１２は、何れも、例えば、スポンジのような弾性体で構成される。これら周面シール部２１１及び上面シール部２１２は、便鉢部１０１の溜水貯留部１０６の外面１１１側に対向する領域周りに形成され防露材２１０の面部から突出した突出部より構成されたシール部を成している。このシール部によって空間３００が封止される。このため、防露材２１０が溜水貯留部１０６の外面側の空間３００を密閉するに際して、洗浄水タンク２００の外面や溜水貯留部１０６の外面側の寸法誤差を十分に吸収して、隙間なく空間３００を封止することができる。この結果結露防止効果が十全なものとなる。
【００１８】
空間３００は、より詳細には、下側タンク部２２０上面に被覆された防露材２１０と溜水貯留部１０６の外面１１１との間の隙間部分を含む空間である。
シール部（周面シール部２１１及び上面シール部２１２）は、それらが対向当接する対向当接部に、弾発的に当接するように固定されている。
即ち、周面シール部２１１が、補強壁部１０９の対向当接部に弾発的に当接し、且つ、上面シール部２１２が、溜水貯留部１０６の外面１１１側の対向当接部に弾発的に当接する。
【００１９】
従って、空間３００は、周面シール部２１１及び上面シール部２１２によって溜水貯留部１０６の外面１１１側の空間の外気と連通する隙間部分がシール部（周面シール部２１１及び上面シール部２１２）によって封止される。この結果、溜水貯留部１０６の外面側空間は密閉されて外気が流入せず、溜水貯留部１０６の外面温度が低い場合でも、持続的に結露が生じることがない。即ち、溜水貯留部１０６の外面１１１には、別途の防露材を施さなくとも、結露による問題が生じない。
【００２０】
洗浄水タンク２００は、その底面の前方部位が既述の補強壁部１０９の前方下部に内側に向けて突出するように取付けられた支持部材１２０により支持され、且つ、その底面の後方部位が左右の固定部材１２１Ｌ、１２１Ｒ（図１では代表的に符号１２１にて表記）によって支承されるようにして便器本体１００に取付けられている。
固定部材１２１は、外周壁部１１０の対応部位に設けた挿通孔（不図示）を通してタッピンネジなどを用いて、片持ち支持で固定されている。
【００２１】
この固定に際して、固定部材１２１によって、防露材２１０のシール部（周面シール部２１１及び上面シール部２１２）がその対向当接部に弾発的に当接した状態が維持されたままで、洗浄水タンク２００が便器本体１００に固定される。
従って、洗浄水タンク２００の下側タンク部２２０上面を被覆する防露材２１０と便鉢部１０１の溜水貯留部１０６の外面１１１との間の隙間部分を含む空間３００は、防露材２１０の上述のように突出したシール部によって気密が保持される。
【００２２】
このため、空間３００は、周面シール部２１１及び上面シール部２１２によって溜水貯留部１０６の外面１１１側空間の外気と連通する隙間部分がシール部２１３（周面シール部２１１及び上面シール部２１２）によって封止される。この結果、溜水貯留部１０６の外面側空間は密閉されて外気が流入せず、溜水貯留部１０６の外面温度が低い場合でも、持続的に結露が生じることがない。即ち、溜水貯留部１０６の外面１１１には、別途の防露材を施さなくとも、結露による問題が生じない。
【００２３】
一方、図１のように、本例の便器本体１００における外周壁部１１０の後方外壁部１１０ａには、便器本体１００の後部に配置される機能部１５０と外部の接続先とを接続する接続管１３０を挿通させるための開口１３１が形成されている。機能部１５０は、既述のように、例えば、便器洗浄水を供給する電磁弁等を含む装置であるが、電動ポンプやモータ、或いは、薬剤のタンク等種々の機器類を含む装置であり得る。図示の例では、上述のような機能部１５０が筐体１５１で覆われて、見栄えの良い形態で便器本体１００に載置されている。尚、機能部１５０の前方側には、便蓋（不図示）が取り付けられる。
【００２４】
本実施形態では特に、接続管１３０を開口１３１に挿通させる作業を容易にするため、接続管１３０をその挿通時に機能部１５０と開口１３１との間でガイドするガイド部１４０が設けられている。接続管１３０をその接続先に接続した状態について、図２を参照して詳述する。
【００２５】
図２は図１の便器装置１の後方側からの斜視図である。
便器装置１の便器本体１００の後方上部に筐体１５１を有する機能部１５０が配置されている。便器本体１００の外周壁部１１０の後方外壁部１１０ａには、その中央上方部位に開口１３１が形成されている。開口１３１に機能部１５０と所定の接続先（図示の例では止水栓２）とを結ぶ接続管１３０が挿通される
図２の場合は、開口１３１に挿通されるのはフレキシブルホースのような接続管１３０であるが、このような接続管に替えて、或いは接続管とともに、機能部１５０を所定の接続先である電源と結ぶ電線が開口１３１に挿通される場合もある。
尚、図示の視野では、外周壁部１１０の後方外壁部１１０ａ下端縁から下方に排水管１０５が突出している。
【００２６】
次に、図３を参照して、図１の便器装置１のガイド部１４０について説明する。
図３は、図１の便器装置１の後方上部に設けられたガイド部１４０の斜視図である。
ガイド部１４０は、機能部１５０の筐体１５１の底板（不図示）の一部を構成する筐体基部１５２が上方に一体的に形成されている。筐体基部１５２の中央部に、接続管又は電線を挿入するための挿入用開口１５３が形成されている。この挿入用開口１５３の位置ないしその近傍に、機能部１５０と上述の接続管１３０ないし電線とが接続されている接続部が位置する。
ガイド部１４０は、挿入用開口１５３から下方に向けて挿入される接続管１３０又は電線を、後方外壁部１１０ａの内面とともに包囲するように形成され、下端側が開口１３１の下端位置に略達するように下方に延びている。
図３におけるガイド部１４０は、主案内板部１４１と、一側端縁が主案内板部１４１の左右端縁に連接して主案内板部１４１から後方に向けて起立した左右の側板部１４２Ｌ、１４２Ｒとを含んで構成されている。
【００２７】
主案内板部１４１は、筐体基部１５２の挿入用開口１５３から縦方向（鉛直方向）に挿入される接続管又は電線を、既述の接続部が位置する挿入用開口１５３の直下の位置で鉛直方向に案内する鉛直案内部１４１ａと、鉛直案内部１４１ａの下端に連接し、接続管又は電線の先端を次第に開口１３１を向くように案内するために下方が後方に向けて（後方外壁部１１０ａの内面向きに）湾曲した湾曲案内部１４１ｂと、湾曲案内部１４１ｂの下端に連接し、接続管又は電線の先端を開口１３１に向けて略水平方向後向き（後方外壁部１１０ａの内面向き）に案内する水平案内部１４１ｃと、を有している。
【００２８】
左右の側板部１４２Ｌ、１４２Ｒは、上述のような主案内板部１４１の鉛直案内部１４１ａ及び湾曲案内部１４１ｂの両側方で接続管又は電線の対応する両側方を覆うように形成され、主案内板部１４１の水平案内部１４１ｃの側方については、その後端に向けて細くなるテーパー状に形成されている。
【００２９】
本実施形態の便器装置１の施工方法としては、例えば以下の３通りが挙げられる。
第１の施工方法としては、先ず、接続管１３０の一端側を、トイレルーム内に設置された便器本体１００の内側からガイド部１４０に沿わせて開口１３１に挿通させ、便器本体１００の外側まで突出させた後、止水栓２に接続する。次いで、接続管１３０の他端側を機能部１５０に接続し、該機能部１５０を便器本体１００上に設置する。
【００３０】
第２の施工方法としては、先ず、止水栓２に接続管１３０の一端側を接続し、その他端側を、トイレルーム内に設置された便器本体１００の外側から開口１３１に挿通させてガイド部１４０に沿わせ、便器本体１００の上面まで突出させる。次いで、機能部１５０に接続管１３０の他端側を接続し、該機能部１５０を便器本体１００上に設置する。
【００３１】
第３の施工方法としては、先ず、機能部１５０に接続管１３０の一端側を接続した後、その他端側を、トイレルーム内に設置された便器本体１００の内側からガイド部１４０に沿わせて開口１３１に挿通させ、便器本体１００の外側まで突出させる。次いで、接続管１３０の他端側を止水栓２に接続し、機能部１５０を便器本体１００上に設置する。
【００３２】
以上のような便器装置１では、ガイド部１４０によって接続管１３０又は電線が開口１３１に向けてガイドされるため、接続管又は電線の施工が容易である。
また、ガイド部１４０が機能部１５０の上述した接続部から開口１３１に到る位置まで延びているため、接続管１３０又は電線が開口向けて確実にガイドされる。
更に、ガイド部１４０は、後方外壁部１１０ａの内面とともに接続管１３０又は電線を包囲するように形成されているため、接続管１３０又は電線が開口１３１に向けて確実にガイドされる。
【００３３】
また、本実施形態におけるガイド部１４０は、主案内板部１４１及び左右の側板部１４２Ｌ、１４２Ｒとも、例えば、透明な樹脂材で構成される。このため、ガイド部１４０内における接続管又は電線が透視される。従って、接続管又は電線の挿通状態を目視によって確認できるため、挿通の作業が一層し易い。
【００３４】
上述した実施形態の便器装置１では、ガイド部１４０によって接続管１３０又は電線が開口１３１に向けてガイドされるため、接続管１３０又は電線の挿通作業に際して目視での確認が不要となり、接続管１３０又は電線の施工が容易である。特に、機能部１５０に接続管又は電線が予め接続されている場合には施工性の改善が顕著である。また、例えば本実施形態の便器装置１を壁排水便器装置とした場合において、排水管接続のための開口が別途設けられている場合であっても、挿入部位を間違えることがない。
【００３５】
また、この便器装置１では特に、ガイド部１４０が機能部１５０の接続部から開口１３１に到る位置まで延びているため、接続管１３０又は電線が開口１３１向けて確実にガイドされる。
【００３６】
また、この便器装置１では特に、ガイド部１４０は、後方外壁部１１０ａの内面とともに接続管１３０又は電線を包囲するように形成されているため、接続管１３０又は電線が開口１３１に向けて確実にガイドされる。
また、接続管が結露したり、万が一接続部から漏水したりすることがあっても、ガイド部に沿って便器本体の背面から外部に結露水や漏水を導くことができ、便器本体内部における床面の腐蝕を防止することができる。
【００３７】
なお、本発明は上記実施形態に限定されるものではなく、本発明の目的を達成できる範囲内での変形、改良等は本発明に含まれる。
上記実施形態では、ガイド部１４０を、後方外壁部１１０ａ側に設けたがこれに限定されない。例えば、外周壁部１１０の右側面壁側又は左側面壁側に設けてもよい。
【００３８】
また上記実施形態では、開口１３１は接続管１３０を挿通させるための開口であるがこれに限定されない。例えば、開口１３１は、便器装置１を壁排水便器装置とした場合における排水接続管を連通させるための開口であってもよい。
【００３９】
また上記実施形態では、ガイド部１４０は、主案内板部１４１及び左右の側板部１４２Ｌ、１４２Ｒによって三方から接続管又は電線を覆うように構成したが、これは次のように変形することもできる。即ち、ガイド部１４０をその横断面が上述のような主案内板部１４１及び左右の側板部１４２Ｌ、１４２Ｒに分かれる形状でなく、連続的に湾曲した形状をなすようにし、後方外壁部１１０ａの内面とともに接続管１３０又は電線を包囲するように形成するようにしてもよい。
【符号の説明】
【００４０】
１…便器装置
２…止水栓（接続先）
１００…便器本体
１１０…外周壁部
１１０ａ…後方外壁部
１１１…外面
１３０…接続管
１３１…開口
１４０…ガイド部
１４１…主案内板部
１４２Ｌ、１４２Ｒ…側板部
１５０…機能部
【図１】
0006568440.tif 000002
【図２】
0006568440.tif 000003
【図３】
0006568440.tif 000004